(57)【要約】【課題】輝度むらや色むらが生じ難い直下型の照明装置、これを備えた液晶表示装置、電子機器を提供すること。【解決手段】照明装置としてのバックライトユニット５０は、回路基板５１上に複数の光源としてのＬＥＤ５２が配列された面光源と、面光源の出光側に対向配置された光学部材としての拡散板５５と、面光源と拡散板５５との間隔を保つための複数のスペーサ５３とを備え、単位面積当たりの配置密度が疎な部分と密な部分とを有するように回路基板５１上に複数のスペーサ５３が配置されている。密な部分は拡散板５５の中央領域に対応して設けられている。【選択図】図２
2010015853.tif 000002
【特許請求の範囲】
【請求項１】
基板上に複数の光源が配列された面光源と、
前記面光源の出光側に対向配置された光学部材と、
前記面光源と前記光学部材との間隔を保つための複数のスペーサとを備え、
前記複数のスペーサは、単位面積当たりの配置密度が疎な部分と密な部分とを有するように前記面光源上に配置されていることを特徴とする照明装置。
【請求項２】
前記密な部分における前記複数のスペーサの平面的な配置が規則的であることを特徴とする請求項１に記載の照明装置。
【請求項３】
前記密な部分における前記複数のスペーサの平面的な配置密度が均一であることを特徴とする請求項２に記載の照明装置。
【請求項４】
前記疎な部分と前記密な部分とにおける前記複数のスペーサの平面的な配置が不規則であることを特徴とする請求項１に記載の照明装置。
【請求項５】
前記基板上の前記疎な部分は前記光学部材の周辺領域に対応し、前記密な部分は前記光学部材の中央領域に対応して設けられていることを特徴とする請求項１乃至４のいずれか一項に記載の照明装置。
【請求項６】
前記スペーサは略円錐状であって、先端側が前記光学部材に向くように配置されていることを特徴とする請求項５に記載の照明装置。
【請求項７】
前記スペーサの少なくとも前記光学部材に面する表面は、光反射性を有することを特徴とする請求項６に記載の照明装置。
【請求項８】
前記光学部材は、少なくとも前記面光源からの入射光を拡散させて出光する拡散板を含むことを特徴とする請求項６または７に記載の照明装置。
【請求項９】
液晶表示パネルと前記液晶表示パネルを照明する請求項１乃至８のいずれか一項に記載の照明装置とを備えたことを特徴とする液晶表示装置。
【請求項１０】
請求項９に記載の液晶表示装置を備えたことを特徴とする電子機器。
【発明の詳細な説明】
【技術分野】
【０００１】
本発明は、被照明体の直下に配置される直下型の照明装置、これを備えた液晶表示装置および電子機器に関する。
【背景技術】
【０００２】
直下型の照明装置としては、複数の半導体発光素子を基板上に配列してなる面光源と、半導体発光素子間のスペースを埋めるように基板上に配置された反射板と、面光源および反射板の光出射側に位置する光学部材と、基板上において半導体発光素子よりも光学部材側に突出する突起部とを備えたバックライト装置が知られている（特許文献１）。
【０００３】
上記バックライト装置は、光学部材としての拡散板と面光源との間に突起部を設けてその間隔を一定とすることにより、拡散板と半導体発光素子との間隔が変化して輝度むらや色むらが発生することを低減したものである。拡散板と半導体発光素子との間隔が変化する要因の１つとして、半導体発光素子の発熱を受けて拡散板が撓むことを挙げている。
【０００４】
上記突起部は、複数の半導体発光素子が配列した基板上において、平面的には互いに一定の間隔を置いて千鳥状に配置されている。
【０００５】
【特許文献１】特開２００６−２７８０７７号公報
【発明の開示】
【発明が解決しようとする課題】
【０００６】
しかしながら、従来の上記バックライト装置における突起部の平面的な配置では、拡散板の撓み方によって、千鳥状に配置された突起部の一部に応力が集中することが考えられる。突起部の物理的な強度によっては、集中した応力により突起部が変形し、当該部分において拡散板と面光源との間隔を一定に保つことができず、結果的に輝度むらや色むらを招いてしまうという課題がある。
拡散板と面光源との間隔が変化する要因は、半導体発光素子の発熱を受けて拡散板が撓むことだけに限らない。例えば、バックライト装置をどのように配置して被照明体を照明するかによっては、拡散板が大きくなるとその自重で変形することもあり得る。また、上記特許文献１にも示されているとおり、被照明体を液晶表示装置とする場合、液晶表示装置の表面を押圧したときに、背面側に位置するバックライト装置の拡散板が変形することもあり得る。したがって、実際の使用形態を考慮したバックライト装置の輝度むらや色むら対策が求められるという課題がある。
【課題を解決するための手段】
【０００７】
本発明は、上述の課題の少なくとも一部を解決するためになされたものであり、以下の形態または適用例として実現することが可能である。
【０００８】
［適用例１］本適用例の照明装置は、基板上に複数の光源が配列された面光源と、前記面光源の出光側に対向配置された光学部材と、前記面光源と前記光学部材との間隔を保つための複数のスペーサとを備え、前記複数のスペーサは、単位面積当たりの配置密度が疎な部分と密な部分とを有するように前記面光源上に配置されていることを特徴とする。
【０００９】
この構成によれば、光学部材の変形予測に基づいて、単位面積当たりの配置密度が疎な部分と密な部分とを有するように面光源上に複数のスペーサを配置すれば、光学部材に加わる外部応力や光学部材自体の自重あるいは熱的な膨張収縮等による撓みで、面光源との間隔が変化することを抑制することができる。すなわち、面光源と光学部材との距離を一定に保って輝度むらや色むらを低減し所望の照度で被照明体を照明することが可能な照明装置を提供することができる。
【００１０】
［適用例２］上記適用例の照明装置において、前記密な部分における前記複数のスペーサの平面的な配置が規則的であることを特徴とする。
この構成によれば、光学部材の撓みを規則的に配置された複数のスペーサの密な部分で支えることができる。すなわち、光学部材の撓みにより複数のスペーサに掛かる応力を規則的に分散できる。
【００１１】
［適用例３］上記適用例の照明装置において、前記密な部分における前記複数のスペーサの平面的な配置密度が均一であるとしてもよい。
この構成によれば、光学部材の撓みにより複数のスペーサに掛かる応力を均等に分散できる。
【００１２】
［適用例４］上記適用例の照明装置において、前記疎な部分と前記密な部分とにおける前記複数のスペーサの平面的な配置が不規則であるとしてもよい。
この構成によれば、疎な部分と密な部分とにおける複数のスペーサの平面的な配置が規則的である場合に比べて、規則的であることに起因する光の干渉による輝度むらや色むらを低減することができる。
【００１３】
［適用例５］上記適用例の照明装置おいて、前記基板上の前記疎な部分は前記光学部材の周辺領域に対応し、前記密な部分は前記光学部材の中央領域に対応して設けられているとしてもよい。
一般的には被照明体の面積が大きくなればなるほど、光学部材の面積も大きくする必要がある。光学部材の面積が大きくなると自重により光学部材の中央領域が撓み易くなる。
この構成によれば、複数のスペーサの密な部分は、光学部材の中央領域に対応して設けられているので、当該中央領域の撓みによる応力を密な部分によって分散させることができる。すなわち、光学部材の面積が大きくなっても面光源と光学部材との距離を複数のスペーサによって一定に保つことができる。
また、言い換えれば、光学部材が撓み難い周辺領域における複数のスペーサの配置密度を低下させ、複数のスペーサを効率的に配置することができる。
【００１４】
［適用例６］上記適用例の照明装置において、前記スペーサは略円錐状であって、先端側が前記光学部材に向くように配置されていることが好ましい。
この構成によれば、光学部材が複数のスペーサによって支えられる部分が点に近づくので、線や面で支える場合に比べて面光源からの出光が複数のスペーサに遮られず光学部材に入射し易くなる。
【００１５】
［適用例７］上記適用例の照明装置において、前記スペーサの少なくとも前記光学部材に面する表面は、光反射性を有することが好ましい。
この構成によれば、面光源からの出光を光反射性を有する表面で反射させて、効率よく光学部材に導くことができる。
【００１６】
［適用例８］上記適用例の照明装置において、前記光学部材は、少なくとも前記面光源からの入射光を拡散させて出光する拡散板を含むことを特徴とする。
この構成によれば、拡散板により面光源からの入射光を拡散させて出光することができ、輝度むらや色むらが少なくより明るい照明装置を提供することができる。
【００１７】
［適用例９］本適用例の液晶表示装置は、液晶表示パネルと前記液晶表示パネルを照明する上記適用例の照明装置とを備えたことを特徴とする。
この構成によれば、輝度むらや色むらを抑制し所望の照度で液晶表示パネルを照明する照明装置を備えているので、表示むらが少なく見映えのよい液晶表示装置を提供することができる。
【００１８】
［適用例１０］本適用例の電子機器は、上記適用例の液晶表示装置を備えたことを特徴とする。
この構成によれば、見映えがよい表示品質を有する電子機器を提供することができる。
【発明を実施するための最良の形態】
【００１９】
以下、本発明を具体化した実施形態について図面に従って説明する。なお、使用する図面は、説明する部分が認識可能な状態となるように、適宜拡大または縮小して表示している。
【００２０】
（実施形態１）
＜液晶表示装置＞
まず、本実施形態の照明装置を備えた液晶表示装置について図１を参照して説明する。図１は、液晶表示装置を示す概略分解斜視図である。
【００２１】
図１に示すように、本実施形態の液晶表示装置１００は、液晶表示パネル１２０と、液晶表示パネル１２０を背面側から照明する照明装置としてのバックライトユニット５０とを備えている。以降の説明においてバックライトユニット５０をＢＬＵ５０と表記する。
【００２２】
液晶表示パネル１２０は、互いに対向するように配置された素子基板１０１および対向基板１０２と、これらの間に挟持された液晶層（図示省略）と、対向基板１０２の上面側（液晶層と反対側）に付設された偏光板１１６と、素子基板１０１の下面側（液晶層と反対側）に付設された偏光板１１５とを主体として構成されている。
【００２３】
対向基板１０２は、例えば透明なガラス基板等からなり、対向基板１０２の液晶層側に、赤（Ｒ）、緑（Ｇ）、青（Ｂ）の３色のフィルタエレメント１０４Ｒ，１０４Ｇ，１０４Ｂを有するカラーフィルタ１０４と、各フィルタエレメント１０４Ｒ，１０４Ｇ，１０４Ｂを実質的に区画するように設けられた遮光膜１０３とを有している。また、カラーフィルタ１０４と遮光膜１０３とを覆うように形成された対向電極１０５を有している。
カラーフィルタ１０４は、異なる色のフィルタエレメントが並列すると共に同色のフィルタエレメントが直線的に配列する所謂ストライプ方式を採用している。
【００２４】
素子基板１０１は、例えば透明なガラス基板等からなり、素子基板１０１上に形成された絶縁層１１０と、絶縁層１１０上に形成された画素電極１１１およびスイッチング素子としての薄膜トランジスタ１１４とを有している。
絶縁層１１０上には、薄膜トランジスタ１１４に電気的に接続する走査線１１２と信号線１１３とが格子状に形成され、これら走査線１１２と信号線１１３とに囲まれた領域毎に画素電極１１１が設けられている。各画素電極１１１のコーナー部分と走査線１１２と信号線１１３との間の部分に薄膜トランジスタ１１４が組み込まれており、走査線１１２と信号線１１３に対する信号の印加によって薄膜トランジスタ１１４をオン・オフして画素電極１１１への通電制御を行うことができるように構成されている。
【００２５】
また、対向基板１０２に形成された対向電極１０５は、本実施形態では画素電極形成領域全体をカバーする全面電極とされている。なお、薄膜トランジスタ１１４の配線回路や画素電極１１１の形状には様々なものがあり、本実施形態では図１に示すものに限定されるものではない。
【００２６】
液晶表示装置１００は、所謂アクティブマトリクス型且つ透過型の表示装置であって、薄膜トランジスタ１１４により画素電極１１１が制御され、当該画素電極１１１と対向電極１０５との間に駆動電圧を印加して液晶層が光学的に駆動される。そして、背面側に設けられたＢＬＵ５０により照明され所望の表示が行われる。
なお、液晶表示装置１００の構成は、これに限定されるものではない。例えば、素子基板１０１側に第１電極と第２電極とを備え、両電極間に電界を生じさせ、液晶層を光学的に駆動する横方向電界方式の液晶表示パネルを備えるものでもよい。
【００２７】
ＢＬＵ５０は、液晶表示パネル１２０の背面側に所定の間隔をおいて設置される直下型の白色照明装置であって、液晶表示パネル１２０の表示面積に応じた照明面積を有する。
また、所望のカラー表示を得るため、輝度むらや色むらなどが少ない均一な照明品質を有している。以降、このようなＢＬＵ５０について実施例を挙げて説明する。
【００２８】
（実施例１）
図２は、実施例１のバックライトユニットを示す概略図である。詳しくは、同図（ａ）は分解斜視図、同図（ｂ）は同図（ａ）のＡ−Ａ'線で切った断面図、同図（ｃ）は同図（ｂ）におけるＣ部の拡大図である。
【００２９】
図２（ａ）に示すように、実施例１のＢＬＵ５０は、基板としての回路基板５１と、回路基板５１上に表面実装された複数の光源としてＬＥＤ（半導体発光素子）５２と、同じく回路基板５１上に配設された複数のスペーサ５３とを備えている。また、回路基板５１に対向配置される光学部材としての拡散板５５と、これらの部材を収容する筐体５４とを備えている。
チップ状のＬＥＤ５２は、白色発光が得られるものであり、複数のＬＥＤ５２を回路基板５１上に配列させて発光させることにより面光源を構成するものである。なお、個々のチップが白色発光するものに限らず、異なる発光色が得られるＬＥＤチップを組み合わせて回路基板５１上に平面実装し、白色発光を得る状態としてもよい。
平面視で長方形の拡散板５５は、複数のＬＥＤ５２からなる面光源からの発光を拡散させ、拡散板５５上に配置される被照明体（液晶表示パネル１２０）側に射出させるものである。
【００３０】
同図（ａ）および（ｂ）に示すように、拡散板５５は、筐体５４の内壁面にある段部５４ａによって額縁状に支持され筐体５４に収容される。また、回路基板５１に設けられた複数のスペーサ５３により、内側から支持されている。
【００３１】
筐体５４の内壁面は、ＬＥＤ５２の発光を拡散板５５側に反射させる光反射性を有した斜面５４ｂを有している。
【００３２】
同図（ｃ）に示すように、略円錐状のスペーサ５３は、回路基板５１に設けられたスルーホール５１ｂに支持軸５３ｃを嵌め込むようにして固定されている。
回路基板５１の実装面５１ａには、固定されたスペーサ５３を避ける孔５６ａと、実装されたＬＥＤ５２を避ける孔５６ｂとが設けられた反射シート５６が敷設されている。
筐体５４内部の光反射性を有する斜面５４ｂおよび反射シート５６により、ＬＥＤ５２からの発光を反射させて効率よく拡散板５５側に導く構成としている。
さらに、回路基板５１の背面側を支持する支持部材５７は、面光源である複数のＬＥＤ５２の発光に伴う発熱を放熱するため、熱伝導性のよい樹脂材料や金属材料、あるいはこれらの複合材料を用いることが好ましい。これにより、回路基板５１側の熱膨張や収縮による変形を防ぐことができる。
【００３３】
図３はスペーサの拡大図である。図３に示すようにスペーサ５３は、一定の高さを有する略円錐状である。底面部には支持軸５３ｃが設けられている。支持軸５３ｃにより回路基板５１に固定されたときに拡散板５５側に面する側面５３ｂは、当然ながら傾斜している。したがって、例えば、白色の樹脂材料を用いてスペーサ５３を成形すれば、ＬＥＤ５２の発光を側面５３ｂで反射させ拡散板５５側に入射させることができる。また、先端部５３ａは丸みを帯びている。したがって、拡散板５５を先端部５３ａでほぼ点状に支持し、先端部５３ａが拡散板５５に当接することによる輝度むらなどが起こり難い構造となっている。
【００３４】
図４は、実施例１のＬＥＤとスペーサの配置を示す概略平面図である。なお、長方形の回路基板５１の長手方向をＸ方向とし、短手方向をＹ方向としている。
【００３５】
図４に示すように、回路基板５１には、Ｘ方向およびＹ方向に沿って複数のＬＥＤ５２がほぼ等間隔で千鳥状に配置されている。複数のスペーサ５３はこれらのＬＥＤ５２の間に配置されている。
回路基板５１のほぼ中央に位置する正方形の中央領域Ｅ１では、複数のスペーサ５３はＸ方向における配置間隔が距離ｘ1、Ｙ方向における配置間隔が距離ｙ1であり、ＬＥＤ５２の配置間隔に合わせた状態で配置されている。中央領域Ｅ１以外の周辺領域では、Ｘ方向における配置間隔が距離ｘ1よりも大きい（倍の）距離ｘ2であり、Ｙ方向における配置間隔が距離ｙ1よりも大きい（倍の）距離ｙ2となっている。したがって、周辺領域に比べて中央領域Ｅ１におけるスペーサ５３の単位面積当たりの配置密度が密な状態となっている。すなわち、複数のスペーサ５３は、単位面積当たりの配置密度が疎な部分と密な部分とを有するように回路基板５１上に配置されている。
【００３６】
このような実施例１のＢＬＵ５０によれば、拡散板５５がその自重により撓んだり、複数のＬＥＤ５２の発熱を受けて変形したとしても、最も撓み量が大きくなると考えられる拡散板５５の中央領域に対応した回路基板５１の中央領域Ｅ１にスペーサ５３が密な状態で配置されている。したがって、回路基板５１上において平面的に均等に複数のスペーサ５３が配置されている場合に比べて、密な状態に配置されたスペーサ５３により拡散板５５を支持することができる。また、中央領域Ｅ１においてスペーサ５３はほぼ等間隔（配置密度が均一）に配置されているため、拡散板５５の撓みによる応力を均等に分散させることができる。拡散板５５の外縁は、筐体５４の内壁面の段部５４ａにより支持されているので、拡散板５５の周辺領域に対応する回路基板５１の周辺領域においてはスペーサ５３の配置を疎な状態としても拡散板５５を支持可能である。
ゆえに、複数のスペーサ５３を回路基板５１上に無駄なく効率的に配置して、拡散板５５と複数のＬＥＤ５２からなる面光源との間隔をほぼ一定な状態とすることができる。
このようなＢＬＵ５０を備えた液晶表示装置１００は、どのような設置状態で使用されてもＢＬＵ５０の輝度むらや色むらに起因する表示むらが低減され、見映えのよい表示品質を確保できる。
【００３７】
（実施例２）
図５は、実施例２のＬＥＤとスペーサの配置を示す概略平面図である。実施例２は、回路基板５１上の複数のスペーサ５３の密な部分と疎な部分とにおいて、その配置を規則的なものとした例である。ＢＬＵ５０の他の構成は実施例１と同様であるため、詳細な説明は省略する。
【００３８】
図５に示すように、複数のスペーサ５３は、回路基板５１の楕円形の中央領域Ｅ２において密な状態に配置されている。また、中央領域Ｅ２ではＬＥＤ５２の配置間隔と同じ間隔でＸ，Ｙ方向にスペーサ５３が配置されている。これに対して中央領域Ｅ２以外の周辺領域では回路基板５１のほぼ中央に位置するスペーサ５３を中心とした楕円の円周上で且つＬＥＤ５２の間にスペーサ５３が配置されている。
平面的に長方形の拡散板５５の物理的な撓み量は、拡散板５５の中心が最も大きくなると考えられるので、中央領域Ｅ２では当該中心を中心点とした楕円形内にスペーサ５３を密に配置し、周辺領域では当該中心を中心点とした楕円の円周上にスペーサ５３を中央領域Ｅ２よりも間隔を開けて疎の状態で配置した。スペーサ５３の規則的な配置を楕円とするのは、拡散板５５の中心と拡散板５５の各辺部間の距離の比に基づくものであって、例えば拡散板５５が平面的に正方形ならば正円とする。これにより、より無駄なく効率的に複数のスペーサ５３を回路基板５１上に配置可能である。
【００３９】
（実施例３）
図６は、実施例３のＬＥＤとスペーサの配置を示す概略図である。実施例３は、回路基板５１上の複数のスペーサ５３の密な部分と疎な部分とにおいて、その配置を不規則的なものとした例である。ＢＬＵ５０の他の構成は実施例１と同様であるため、詳細な説明は省略する。
【００４０】
図６に示すように、複数のスペーサ５３は、回路基板５１の楕円形の中央領域Ｅ２において密な状態に配置されている。また、中央領域Ｅ２おけるスペーサ５３はＬＥＤ５２の間に位置するもＸ，Ｙ方向において不等間隔に配置され、且つ互いの位置関係が不規則（ランダム）である。中央領域Ｅ２以外の周辺領域では、スペーサ５３が中央領域Ｅ２に比べて疎な状態で配置されており、同様に不規則な配置状態となっている。
したがって、実施例１や実施例２のように複数のスペーサ５３を線対称あるいは点対称な状態に配置した場合に比べて、拡散板５５と面光源との間隔を確保しつつ、スペーサ５３の配置に起因する光学的な干渉で輝度むらや色むらが生じることを防ぐことができる。
また、同図に示すように、中央領域Ｅ２の位置は、楕円形の中心が必ずしも回路基板５１の中心、惹いては拡散板５５の中心と一致しなくてもよい。例えば、ＢＬＵ５０を含む液晶表示装置１００は、表示画面を水平に設置せず、表示画面を起こし傾斜させて見ることが一般的である。したがって、重心が重力方向に下がることが考えられ、その使用状態を考慮して中央領域Ｅ２を図面上でわずかに下方にずらしている。
【００４１】
以上、本実施形態のＢＬＵ５０と、これを備える液晶表示装置１００について実施例１〜実施例３を挙げて説明したが、実際のＢＬＵ５０の設計は、液晶表示パネル１２０の形状や大きさなどを考慮して行われることは言うまでもない。特に、表示画面が大きくなると、拡散板５５の大きさも大きくなり、その自重による撓みは無視できなくなる。
また、拡散板５５と面光源との間隔を一定とするためにスペーサ５３を回路基板５１上において必要な数以上に配置すれば、スペーサ５３の側面５３ｂが光反射性を有するとしても面光源における輝度分布に少なからず影響を与えることになる。したがって、いかに無駄なく効率よくスペーサ５３を配置するかという点において、本実施形態のスペーサ５３の配置の仕方は有効である。
また、実施例１〜実施例３の特徴を組み合わせてＢＬＵ５０を構成することも可能である。例えば、密な部分ではスペーサ５３を規則的に配置し、疎な部分ではスペーサ５３を不規則に配置してもよい。
【００４２】
（実施形態２）
次に、上記実施形態の液晶表示装置を備えた電子機器について図７を参照して説明する。図７は、電子機器としての液晶ＴＶを示す概略図である。
【００４３】
図７に示すように、本実施形態の電子機器としての液晶ＴＶ２００は、フルカラー表示が可能な表示部２０１を備えている。表示部２０１には、上記実施形態１の液晶表示装置１００が搭載されている。したがって、液晶ＴＶ２００を机上に設置したり、壁面に固定したり、はたまた広い会場の天井部分から吊設したとしても、設置状態によってＢＬＵ５０の輝度むらや色むらが生じ難く、安定した状態で表示画像を確認することができる。
また、液晶表示装置１００の表示画面が大型化してもＢＬＵ５０の輝度むらや色むらが生じ難く、迫力がある表示画像を楽しむことができる。表示画面が大型化するほどその効果が期待できる。
【００４４】
上記実施形態以外にも様々な変形例が考えられる。以下、変形例を挙げて説明する。
【００４５】
（変形例１）上記実施形態１の液晶表示装置１００において、ＢＬＵ５０における複数のＬＥＤ５２の配置は、これに限定されない。図８（ａ）および（ｂ）は、変形例のＬＥＤの配置を示す概略平面図である。例えば、図８（ａ）に示すように、回路基板５１上において、複数のＬＥＤ５２を長手方向および短手方向に沿ってマトリクス状に配置してもよい。また、図８（ｂ）に示すように、回路基板５１の平面的な中央点を中心とした同心円上に配置してもよい。いずれにしても面光源として均一な輝度分布が得られるように平面的にほぼ均等にＬＥＤ５２を配置することが望ましい。
【００４６】
（変形例２）上記実施形態１の実施例１〜実施例３において、回路基板５１上におけるスペーサ５３の密な部分の配置は、これに限定されない。図９は、変形例のスペーサの配置を示す概略平面図である。例えば、図９に示すように、スペーサ５３を密な状態で配置する配置領域を回路基板５１の短手方向の中心線上において長手方向に沿って、２つの配置領域Ｅ３と配置領域Ｅ４とに分けて配置してもよい。すなわち、拡散板５５の形状や大きさにより撓みを主体的に支えるスペーサ５３の密な部分を１つの領域に固定せず、複数の領域に分ける。これにより、より確実に拡散板５５と面光源との間隔を一定に保持することが可能となる。
【００４７】
（変形例３）上記実施形態１の液晶表示装置１００において、ＢＬＵ５０における複数のスペーサ５３は、回路基板５１上に配設されることに限定されない。例えば、回路基板５１にスペーサ５３が貫通する程度の開口を設けると共に、回路基板５１の背面側を支持する支持部材５７にスルーホールを設ける。このスルーホールに支持軸５３ｃを嵌め込み、スペーサ５３を上記開口から突出させて支持部材５７に固定する構成としてもよい。このような構成によれば、拡散板５５が撓んでもスペーサ５３に掛かる応力が回路基板５１に直接伝わらないので、回路基板５１の破損を防ぐことができる。
【００４８】
（変形例４）上記実施形態１の液晶表示装置１００において、ＢＬＵ５０における光学部材の構成は、拡散板５５のみに限定されない。例えば、光学部材は、拡散板５５から射出する光の指向性を規定するプリズムシートや必要な領域以外に光を射出させない遮光シートなどを拡散板５５に積層した構成としてもよい。
【００４９】
（変形例５）上記実施形態２において、液晶表示装置１００が搭載される電子機器は、液晶ＴＶ２００に限定されない。例えば、パーソナルコンピュータやノートパソコンのディスプレイ、あるいは広告やモニター用のディスプレイ等に好適に用いることができる。特に、ディスプレイ上に透明なタッチパネル等の入力装置を配する情報端末装置などでは、入力時に入力装置の表面を押圧し、その押圧を受けて液晶表示パネル１２０が変形し、さらに拡散板５５が変形しても、拡散板５５と面光源との間隔が保持されるので、安定した表示品質が得られる。
【００５０】
（変形例６）上記実施形態１のＢＬＵ５０を備える装置は、液晶表示装置１００に限定されない。例えば、ＢＬＵ５０を照明装置として、街頭広告などを背面側から照明してもよい。広告の内容によって光源は、白色発光に限定されず、有色のＬＥＤ５２を使用することもできる。
【図面の簡単な説明】
【００５１】
【図１】液晶表示装置を示す概略分解斜視図。
【図２】実施例１のバックライトユニットを示す（ａ）は分解斜視図、（ｂ）は（ａ）のＡ−Ａ'線で切った断面図、（ｃ）は（ｂ）におけるＣ部の拡大図。
【図３】スペーサの拡大図。
【図４】実施例１のＬＥＤとスペーサの配置を示す概略平面図。
【図５】実施例２のＬＥＤとスペーサの配置を示す概略平面図。
【図６】実施例３のＬＥＤとスペーサの配置を示す概略平面図。
【図７】電子機器としての液晶ＴＶを示す概略図。
【図８】（ａ）および（ｂ）は変形例のＬＥＤの配置を示す概略平面図。
【図９】変形例のスペーサの配置を示す概略平面図。
【符号の説明】
【００５２】
５０…照明装置としてのバックライトユニット、５１…基板としての回路基板、５２…光源としてのＬＥＤ、５３…スペーサ、５５…光学部材としての拡散板、１００…液晶表示装置、１２０…液晶表示パネル、２００…電子機器としての液晶ＴＶ。
【図１】
2010015853.tif 000003
【図２】
2010015853.tif 000004
【図３】
2010015853.tif 000005
【図４】
2010015853.tif 000006
【図５】
2010015853.tif 000007
【図６】
2010015853.tif 000008
【図７】
2010015853.tif 000009
【図８】
2010015853.tif 000010
【図９】
2010015853.tif 000011